(57)【要約】【課題】保水性，保肥性及び排水性に秀れるため植物を良好に植生することができ、その上、単に所定部位に敷設するだけで該所定部位を緑化することができ、更に、非常に軽量であるため屋上での緑化や軟弱地盤上での緑化に最適であり、また、強度を有するために、例えば摩耗し易いサッカー場等の競技場の芝生面（ターフ）を良好に形成することもできる用途性，実用性に秀れた画期的な炭化物植栽パネルを提供するものである。【解決手段】所定の部位に配設されるパネル体であって、複数の粒状の炭化物とセメントとから形成され該炭化物がセメントにより結合されることでポーラス状となっている本体部１と、該本体部１の上側に配設され植物１２を植生する植栽部２とから成る炭化物植栽パネル。【選択図】        図１
2004329032.tif 000002
【特許請求の範囲】
【請求項１】
所定の部位に配設されるパネル体であって、複数の粒状の炭化物とセメントとから形成され該炭化物がセメントにより結合されることでポーラス状となっている本体部と、該本体部の上側に積層され植物を植生する植栽部とから成ることを特徴とする炭化物植栽パネル。
【請求項２】
請求項１記載の炭化物植栽パネルにおいて、本体部に植物を植生若しくは該植物の種子を吹き付けて前記植栽部が形成されていることを特徴とする炭化物植栽パネル。
【請求項３】
請求項１，２いずれか１項に記載の炭化物植栽パネルにおいて、植物として張芝，苔類，セダム類等の地被植物が採用されていることを特徴とする炭化物植栽パネル。
【請求項４】
請求項１〜３いずれか１項に記載の炭化物植栽パネルにおいて、高分子吸収材が本体部，植栽部若しくは本体部と植栽部の境界部に付与されていることを特徴とする炭化物植栽パネル。
【請求項５】
請求項１〜３いずれか１項に記載の炭化物植栽パネルにおいて、肥料分が本体部，植栽部若しくは本体部と植栽部の境界部に付与されていることを特徴とする炭化物植栽パネル。
【請求項６】
請求項１〜３いずれか１項に記載の炭化物植栽パネルにおいて、中和材が本体部，植栽部若しくは本体部と植栽部の境界部に付与されていることを特徴とする炭化物植栽パネル。
【請求項７】
請求項１〜６いずれか１項に記載の炭化物植栽パネルにおいて、本体部には中和材が混入され、また、本体部には高分子吸収材が混入された高分子吸収材層が形成され、この高分子吸収材層の表面に炭化物がセメントにより結合されたポーラス状となっているポーラス層が積層されていることを特徴とする炭化物植栽パネル。
【請求項８】
請求項１〜７いずれか１項に記載の炭化物植栽パネルにおいて、本体部には肥料分が混合されていることを特徴とする炭化物植栽パネル。
【発明の詳細な説明】
【０００１】
【発明の属する技術分野】
本発明は、炭化物植栽パネルに関するものである。
【０００２】
【従来の技術及び発明が解決しようとする課題】
所定部位を緑化する一般的な方法として、緑化したい部位に排水層を設け、この排水層上に土壌を所定厚さ敷設し、該土壌に植物を植生することで前記所定部位を緑化する方法がある。
【０００３】
具体的には、例えば屋上を緑化する場合には、屋上の緑化したい部位をコンクリート壁等で囲繞して仕切壁を形成し、この仕切壁で囲まれた部位に例えばパーライトを敷設して排水層を設け（このパーライトとは、ガラス質火成岩の一種である真珠岩を粒状に砕いたものを約１０００度の高温により焼成発砲させて該真珠岩内の水分を蒸発させることで多数の空隙部を形成したものである。）、この排水層上に所定厚さの土壌を敷設し、この土壌に植物を植生することで該所定部位を緑化している。
【０００４】
この一般的な緑化方法によれば、土壌の下方に排水層が設けられていることで、緑化部位に降雨等により水分が過剰に供給された際等に、該過剰の水分を緑化部位外へ速やかに排水して土壌中の水分が過剰となることを防止でき、これにより、植物の根腐れを防止することができる。
【０００５】
ところで、このような一般的に行われる緑化方法は、前述のように、少なくとも緑化したい部位に排水層を設け、この排水層上に所定厚さの土壌を敷設し、該土壌に植物を植生する施工が必要であり、更に、必要に応じて排水層や土壌を厚く設けなければならない場合もある。
【０００６】
従って、この一般的に行われている緑化方法では施工作業が大掛かりとなり、これにより、所定部位の緑化を簡単には行えない。
【０００７】
また、前述のように、過剰な水分等を排水するための排水層と、植物を植生するための所定厚さの土壌（土壌層）と、植物とから成る構成上、該構成を全体的に軽量化するのには限界がある。
【０００８】
そのため、載置重量に制限のある屋上における緑化や、軟弱地盤上における緑化において最適な構成であるとは言い難い。
【０００９】
本発明は、単に所定部位に敷設するだけで該所定部位を緑化することができ、その上、保水性，保肥性及び排水性に秀れるため植物を良好に植生することができ、更に、非常に軽量であるため屋上やベランダでの緑化や軟弱地盤上での緑化に最適であり、また、強度を有し且つ適度な固さを有するために、例えば踏圧を受けることが多く摩耗し易いサッカー場等の運動施設の芝生面（ターフ）を良好に形成することもできる用途性，実用性に秀れた画期的な炭化物植栽パネルを提供するものである。
【００１０】
【課題を解決するための手段】
添付図面を参照して本発明の要旨を説明する。
【００１１】
所定の部位に配設されるパネル体であって、複数の粒状の炭化物とセメントとから形成され該炭化物がセメントにより結合されることでポーラス状となっている本体部１と、該本体部１の上側に積層され植物１２を植生する植栽部２とから成ることを特徴とする炭化物植栽パネルに係るものである。
【００１２】
また、請求項１記載の炭化物植栽パネルにおいて、本体部１に植物１２を植生若しくは該植物１２の種子を吹き付けて前記植栽部２が形成されていることを特徴とする炭化物植栽パネルに係るものである。
【００１３】
また、請求項１，２いずれか１項に記載の炭化物植栽パネルにおいて、植物１２として張芝，苔類，セダム類等の地被植物が採用されていることを特徴とする炭化物植栽パネルに係るものである。
【００１４】
また、請求項１〜３いずれか１項に記載の炭化物植栽パネルにおいて、高分子吸収材８が本体部１，植栽部２若しくは本体部１と植栽部２の境界部に付与されていることを特徴とする炭化物植栽パネルに係るものである。
【００１５】
また、請求項１〜３いずれか１項に記載の炭化物植栽パネルにおいて、肥料分が本体部１，植栽部２若しくは本体部１と植栽部２の境界部に付与されていることを特徴とする炭化物植栽パネルに係るものである。
【００１６】
また、請求項１〜３いずれか１項に記載の炭化物植栽パネルにおいて、中和材が本体部１，植栽部２若しくは本体部１と植栽部２の境界部に付与されていることを特徴とする炭化物植栽パネルに係るものである。
【００１７】
また、請求項１〜６いずれか１項に記載の炭化物植栽パネルにおいて、本体部１には中和材が混入され、また、本体部１には高分子吸収材８が混入された高分子吸収材層１０が形成され、この高分子吸収材層１０の表面に炭化物がセメントにより結合されたポーラス状となっているポーラス層１９が積層されていることを特徴とする炭化物植栽パネルに係るものである。
【００１８】
また、請求項１〜７いずれか１項に記載の炭化物植栽パネルにおいて、本体部１には肥料分が混合されていることを特徴とする炭化物植栽パネルに係るものである。
【００１９】
【発明の作用及び効果】
本体部１の上側に配設した植栽部２で植物１２を植生するため、該本体部１を所定部位に配するだけで、該所定部位を緑化することができる。
【００２０】
従って、従来のように、所定部位に排水層を設け、該排水層上に例えば厚い土壌を敷設し、そして、該土壌に植物を植生する手間を要さず、簡単に所定部位を緑化することができ、よって、秀れた施工作業性を発揮する。
【００２１】
また、本体部１は、複数の粒状の炭化物がセメントにより結合されることでポーラス状となっている構造であるため、該本体部１内に空隙部（炭化物及びセメント中の空隙や、炭化物同志の間隙）が非常に多く存在し、よって、非常に軽量である。
【００２２】
従って、積載重量に制限のある屋上やベランダでの緑化や、軟弱地盤上での緑化に最適であり、また、容易に運搬できるため一層施工作業性にも秀れる。
【００２３】
また、本体部１には、多孔質物質である炭化物が含まれているため、該炭化物が有する無数の微細な空隙部によって発揮される吸着作用により水分及び肥料分を吸着でき、よって、秀れた保水性及び秀れた保肥性を発揮する。
【００２４】
また、本体部１の炭化物には、水を通過せしめる大きさの空隙部も存在し、また、該本体部１がポーラス状であることも相俟って、秀れた通水性・排水性を発揮する。
【００２５】
従って、乾燥時には、本体部１の上側に配設される植栽部２で植生する植物１２が該本体部１内に保持された水分を吸収して良好に生育し、一方、本体部１及び植栽部２に水分が過剰に供給された時には、該過剰な水分を良好に本体部１及び植栽部２外に排水して植物１２の根腐れを防止でき、また、本体部１に肥料分を散布等した際には該肥料分を良好に保持して無駄なく植物１２に栄養分を供給することができる。
【００２６】
また、本体部１の炭化物は、該炭化物が吸着した水の腐敗を防止する作用を有し、この水の腐敗防止作用（この作用は炭化物内に存在する微生物の働きによって発揮されると考えられる。）によって炭化物に吸着した水分は腐敗しにくい。
【００２７】
従って、本体部１及び植栽部２に水分が過剰に供給されて、水分過剰な状態が長期間に亙ったとしても、炭化物内の水分が腐敗してしまうことを防止でき、よって、植物１２の植生に適した腐敗していない水を該植物１２に供給することができる。
【００２８】
また、本体部１は複数の炭化物を骨材とし、セメントによりポーラス状に固化して形成されているため、高い強度を有する。
【００２９】
従って、本発明の植栽パネルは、例えば頻繁な踏圧を受けるサッカー場等の運動施設のターフ（芝生面等の地面）に使用しても、該踏圧によって本体部１が極めて破損しづらく、よって、踏圧を受ける部位において植物１２を良好に植生し続けることができる。
【００３０】
また、本発明の植栽パネルは、ポーラス状に形成された本体部１の上側に植栽部２が配設された構成であることで、表面がコンクリートやアスファルト等の人工地盤ほど固くなく、また、運動するに不都合が生じるほど柔らかくなく、よって、サッカー場等の運動施設等のターフとして良好に利用できる炭化物植栽パネルといえる。
【００３１】
本発明は上述のように構成したから、単に所定部位に敷設するだけで該所定部位を緑化することができ、その上、保水性，保肥性及び排水性に秀れるため植物１２を良好に植生することができ、更に、非常に軽量であるため屋上での緑化や軟弱地盤上での緑化に最適であり、また、強度を有し且つ適度な固さを有するために、例えば摩耗し易いサッカー場等の競技場の芝生面（ターフ）を良好に形成することもできる用途性，実用性に秀れた画期的な炭化物植栽パネルとなる。
【００３２】
【発明の実施の形態】
図面は本発明の実施例を図示したものであり、以下に説明する。
【００３３】
第一実施例
第一実施例は、図１に示すように、パネル状に形成した本体部１と、該本体部１に植物１２を直接植えることで形成される植栽部２とから成る炭化物植栽パネルに関するものである。
【００３４】
本体部１は、複数の粒状の炭化物とセメントとから形成され該炭化物がセメントにより結合されることでポーラス状となっている。
【００３５】
即ち、本体部１は、セメントに形成された空隙及び炭化物とセメントの間に形成された空隙が排水作用を発揮し、炭化物が有する小空隙が保水作用を発揮するように構成されている。
【００３６】
炭化物は、木質系廃材等のリサイクル材を採用すると良い。これにより、環境に良い本体部１となる。
【００３７】
セメントは、普通ポルトランドセメント等の通常良く用いられるセメントが採用されている。
【００３８】
本体部１は、炭化物１ｍ３あたりセメントが５０乃至２００ｋｇ，水分が０．１５ｍ３以上の割合で混合された混合物をポーラス状に固めることで形成されている。
【００３９】
この本体部１中に含まれる炭化物の量は、従来に比して非常に多量に設定されており、秀れた吸着性を有する炭化物が多量に含まれていることで、極めて良好な保水性及び保肥性を発揮する。
【００４０】
また、本体部１のポーラス度合いは、圧縮強度が１０ｔ／ｍ２以上を発揮し得るポーラス度合いに設定されている。
【００４１】
また、本体部１のポーラス度合いは、透水係数が１．０×１００乃至１．０×１０−３ｃｍ／ｓとなるポーラス度合いに設定されている。即ち、本体部１は、１００ｍｍ／ｈを越える降雨にも対応し得るポーラス度合いに設定されている。
【００４２】
本体部１には中和材が混合されている。
【００４３】
中和材は、過燐酸石灰，硫安若しくは硫酸カリウム等が採用されている。
【００４４】
第一実施例では、中和材として過燐酸石灰が採用されている。
【００４５】
具体的には、過燐酸石灰は、前述の炭化物とセメントとの混合物に０．８乃至７．０ｋｇの量混合されている。
【００４６】
これにより、第一実施例は、例えば土壌等をアルカリ性とする作用を有する炭化物が従来に比して多量に含まれていても（本体部１内がアルカリ性に傾くと植物１２の生育が阻害される。）これを中性化することができ、よって、秀れた保水性及び保肥性を発揮し得る炭化物が多量に混合された構成でありながら、植物１２を良好に植生することができる炭化物植栽パネルとなる。
【００４７】
本体部１には増粘材が混合されている。
【００４８】
増粘材としては、水溶性セルロース等の増粘材（例えば信越化学工業株式会社製の商品名：ＳＦＣＡ２０００等）が採用されている。
【００４９】
具体的には、増粘材は、前述の炭化物とセメントとの混合物に０乃至０．８ｋｇの量混合されている。即ち、この増粘材は必要に応じて加える。
【００５０】
本体部１には肥料分が混合されている。
【００５１】
肥料分としては、植栽部２で植生する植物１２に栄養分を良好に供給し得るものであれば、適宜採用しても良い。
【００５２】
この肥料分は、前述の炭化物とセメントとの混合物に２．０乃至１０．０ｋｇの量混合されている。
【００５３】
これにより、例えば植栽部２で植生する植物１２に頻繁に肥料分を与える等の手間を要せずに、該植物１２に栄養分を供給することができる。
【００５４】
植栽部２は、本体部１の上面部に植物１２を直接植えることで形成されている。
【００５５】
また、第一実施例では、植栽部２は、本体部１の上面部に植物１２を直接植えることで形成した構成としたが、本体部１の上面部に植物１２の種子を吹き付けたり、張り芝を行う等して植栽部２を形成しても良い。これにより、本体部１の上面部に植栽部２をより簡易に形成できる。
【００５６】
植物１２は、張芝，苔類，セダム類等の地被植物が採用されている。
【００５７】
尚、図中符号５は緑化部位を囲繞する仕切壁、符号３０は仕切壁内に溜まった所定量以上の水分を仕切壁外（緑化部位外）へ排水するための水抜き孔、符号９は防根・遮水シートである。
【００５８】
第一実施例によれば、本体部１の上面部に植物１２を直接植生して植栽部２を形成しているため、該本体部１を緑化したい部位に敷設するだけで、簡単に該緑化したい部位を緑化することができる。
【００５９】
また、緑化したい部位に本体部１を単に敷設し、該本体部１の上面部に単に植物１２を植栽するだけで、簡単に該緑化したい部位を緑化することができる。
【００６０】
即ち、本体部１は、いわば植物１２を植生するための植栽基盤層と排水層とが一体化した構成となっており、これにより、秀れた作業施工性を発揮する。
【００６１】
また、本体部１は、複数の粒状の炭化物がセメントにより結合されることでポーラス状となっている構造であるため、該本体部１内には空隙部（炭化物及びセメント中の空隙や、炭化物同志の間隙）が非常に多く存在し、また、炭化物自体も軽量であるため、全体的に非常に軽量となる。
【００６２】
また、本体部１には、多孔質物質である炭化物が従来に比して多量に含まれているため、該炭化物が有する無数の微細な空隙部によって発揮される吸着作用により水分を良好に吸着し、秀れた保水性を発揮する。
【００６３】
また、本体部１の炭化物の前記吸着作用により、肥料分を良好に吸着して秀れた保肥性を発揮する。
【００６４】
また、本体部１の炭化物には、水を通過せしめる大きさの空隙部も存在し、また、該本体部１がポーラス状であることも相俟って、秀れた通水性・排水性を発揮する。
【００６５】
また、本体部１の炭化物は、該炭化物が吸着した水の腐敗を防止する作用を有し、この水の腐敗防止作用により、炭化物に吸着した水分を植物１２の植生に適した状態にできることになる。
【００６６】
また、本体部１は複数の炭化物をセメントによりポーラス状に固化して形成されているため、高い強度を有する。
【００６７】
第一実施例は上述のように構成したから、単に所定部位に敷設するだけで該所定部位を緑化することができ、その上、保水性，保肥性及び排水性に秀れるため植物１２を良好に植生することができ、更に、非常に軽量であるため屋上での緑化や軟弱地盤上での緑化に最適であり、また、強度を有し且つ適度な固さを有するために、例えば摩耗し易いサッカー場等の運動施設の芝生面（ターフ）を良好に形成することもできる用途性，実用性に秀れた画期的な炭化物植栽パネルとなる。
【００６８】
即ち、所定部位を緑化したい際に、従来のように、先ず、所定部位に所定厚さの排水層を設け、該排水層上に所定厚さの土壌を敷設し、該土壌に植物１２を植生して該所定部位を緑化するといった手間を要さず、例えば本体部１に植物１２を予め植えて植栽部２を形成した植栽パネルを単に敷設したり、例えば前記所定部位に本体部１を単に敷設し、該敷設した本体部１に単に植物１２を植えたり、種子の吹き付けや張り芝等を行うだけで該所定部位を簡単に緑化することができる。
【００６９】
また、第一実施例の植栽パネルは非常に軽量であるために、積載重量に制限のある屋上やベランダ，軟弱地盤での緑化使用に最適となる。
【００７０】
また、第一実施例の植栽パネルは非常に軽量であり、また、本体部１に単に植物１２を植生して植栽部２を形成する簡易な構成のため、施工作業性に秀れる。
【００７１】
また、本体部１は保水性，保肥性及び排水性に秀れるため、施工作業性に秀れる上に、植栽部２で植生される植物１２を良好に植生することができる炭化物植栽パネルとなる。
【００７２】
即ち、乾燥時には、本体部１から植栽部２の植物１２に水分を供給することができ、一方、本体部１及び植栽部２に降雨等により水分が過剰に供給された際には、該過剰な水分を速やかに緑化部位外に排水して植物１２の根腐れを防ぐことができる。
【００７３】
また、炭化物の秀れた保肥性により、植栽部２に頻繁に肥料を与えるとった手間を要せず、植物１２に栄養分を供給し該植物１２を良好に植生することができる。
【００７４】
また、炭化物による水の腐敗防止作用により、本体部１及び植栽部２に水分が過剰に供給された状態が長期間に亙ったとしても、炭化物内の水分はほとんど腐敗させずに、植物１２にきれいな水を供給して該植物１２を良好に植生することができる。
【００７５】
また、本体部１は高い強度を有するため、頻繁に踏圧等を受ける部位に敷設しても該本体部１は極めて破損しづらく、よって、植栽部２の植物１２を良好に植生し続けることができる。
【００７６】
故に、踏圧を受ける機会の多い、サッカー場等の運動施設や公園等の地面に配設するのに良好に利用できる炭化物植栽パネルといえる。
【００７７】
更に、植栽部２で植生される植物１２は、本体部１に根を張って（若しくは張り付いて）いわば一体化した構成となっているため、該植物１２が本体部１からは容易に抜けたり剥げたりすることがなく、よって、耐摩耗性に秀れ、よって、踏圧を受ける機会の多い、サッカー場等の運動施設や公園等の地面に配設するのに一層良好に利用できる。
【００７８】
また、第一実施例の植栽パネルは、ポーラス状に形成された本体部１の上側に植栽部２が配設された構成であることで、表面がコンクリートやアスファルト等の人工地盤ほど固すぎず、また、運動をするのに不都合が生じるほど柔らかくなく、よって、運動施設の地面等として一層良好に利用できる炭化物植栽パネルといえる。
【００７９】
例えば、第一実施例の植栽パネルをサッカー場等の競技場や運動場の地面に敷設して該地面を緑化する場合には、本体部１の保水性，保肥性により植物１２（例えば芝生）を良好に植生でき、また、降雨によって該地面に水分が過剰に供給された場合には、該過剰な水分を速やかに外部へ排水して水たまり等の発生を抑制し、よって、競技場等を良好に使用可能な状態に維持することができる。
【００８０】
また、本体部１は、前述のように、圧縮強度が１０ｔ／ｍ２以上と秀れた耐荷重性を発揮でき、また、植物１２が本体部１に固着していることで耐摩耗性に秀れ、更に、運動施設の地面として良好に利用できる固さを有しているため、前記競技場等で長期間に亙り良好に使用し続けることができる。
【００８１】
また、例えば、第一実施例の植栽パネルを軟弱地盤に敷設し該軟弱地盤上を緑化する場合には、該軟弱地盤を簡単に緑化することができる上に、本体部１は排水性に秀れるため、降雨等により供給された過剰な水分を速やかに外部に排水して該軟弱地盤を一層軟弱化することを抑制することができる。
【００８２】
更に、植栽パネルは非常に軽量であるため、該植栽パネルを敷設した部位の軟弱地盤が地滑りを起こすといった懸念もほとんど生じず、また、該地滑り等を防止する手段を講じる必要もほとんどなく、更に、軽量であるために地盤に沈下することもほとんどない。
【００８３】
第二実施例
第二実施例は、図２に示すように、第一実施例における本体部１と植栽部２との間に、該植栽部２の植物１２を良好に植生するための所定部材３を介在させた実施例である。
【００８４】
即ち、本体部１と植栽部２との間（境界部）には、前記所定部材３として高分子吸収材が介在されている。
【００８５】
具体的には、高分子吸収材は、植栽部２の植物１２が該高分子吸収材を介して本体部１に根付き得る厚さに介在された構成としている。
【００８６】
高分子吸収材としては、合成樹脂製の吸水材（例えば栗田工業株式会社製の商品名：グラスパワーＧ−３００）を採用している。
【００８７】
尚、第二実施例では、高分子吸収材の厚さを植物１２が該高分子吸収材を介して本体部１に根付き得る厚さに設定した構成としたが、該厚さよりも厚く設定しても良い。
【００８８】
これにより、第二実施例の植栽パネルは、炭化物による吸着作用に加え、高分子吸収材による吸着作用により、一層保水性に秀れた炭化物植栽パネルとなる。
【００８９】
また、乾燥時には、植物１２は、炭化物のみならず高分子吸収材からも水分を吸収できるため、秀れた水分供給性を発揮することができる。
【００９０】
本体部１と植栽部２との間（境界部）には、前記所定部材３として肥料分が介在されている。
【００９１】
具体的には、肥料分は、植栽部２の植物１２が該肥料分を介して本体部１に根付き得る厚さに介在された構成としている。
【００９２】
尚、第二実施例では、肥料分の厚さを植物１２が本体部１に該肥料分を介して根付き得る厚さに設定したが、該厚さよりも厚く設定しても良い。
【００９３】
これにより、第二実施例の植栽パネルは、本体部１に混合された肥料分に加え、本体部１と植栽部２との間に介在された肥料分によって、植栽部２の植物１２に栄養分を一層良好且つ長期間に亙って供給し続けることができ、よって、該植物１２を一層良好に植生することができる。
【００９４】
本体部１と植栽部２との間（境界部）には、前記所定部材３として中和材が介在されている。
【００９５】
この中和材としては、過燐酸石灰，硫安若しくは硫酸カリウム等が採用されている。
【００９６】
これにより、本体部１に混合させた炭化物若しくは中和材の混合量に応じて該本体部１と植栽部２との間に中和材を、所定厚さ（所定量）介在させて、該本体部１がアルカリ性に傾くことを一層確実に抑制することができる。
【００９７】
尚、本体部１と植栽部２との間には、前述した所定部材３以外にも植物１２を良好に植生し得る部材であれば適宜採用しても良い。
【００９８】
第二実施例は上述のように構成したから、本体部１の上側に積層される植栽部２の植物１２を一層良好に植生することができる炭化物植栽パネルとなる。
【００９９】
第三実施例
第三実施例は、第一実施例及び第二実施例の本体部１に、高分子吸収材８が層状とされた高分子吸収材層１０が設けられ、この高分子吸収材層１０の表面に炭化物がセメントにより結合されたポーラス状となっているポーラス層１９が積層された実施例である。
【０１００】
具体的には、本体部１の厚み方向の中間部に高分子吸収材８を層状に配設することで高分子吸収材層１０が設けられた構成としている。
【０１０１】
更に具体的には、図３に示すように、本体部１の厚み方向の中間部に高分子吸収材層１０が部分的に設けられた構成としている。
【０１０２】
また、本体部１の中間部に配設される高分子吸収材８の量を所望量に設定することで、本体部１が発揮し得る保水性を調整し得るように構成している。
【０１０３】
尚、第三実施例では、本体部１の厚さ方向の中間部に高分子吸収材層１０を部分的に設けた構成としたが、本体部１の厚さ方向の中間部に全体的に高分子吸収材層１０が設けられた構成としても良い。
【０１０４】
第三実施例は上述のように構成したから、本体部１の中間部において水分を良好に保持することができる炭化物植栽パネルとなる。
【０１０５】
また、本体部１の炭化物の吸着作用や、本体部１と植栽部２との間に介在された高分子吸収材の吸着作用と相俟って、極めて秀れた保水性を発揮することができる。
【０１０６】
また、高分子吸収材層１０を配設しないポーラス層１９部位（即ち、部分的に設けられた高分子吸収材層１０間）においては、良好な排水作用を発揮できるため、第三実施例の本体部１は秀れた保水性を発揮できると共に秀れた排水性も発揮することができる。
【０１０７】
また、高分子吸収材層１０を形成する高分子吸収材８量を調整することで、パネル体２の保水性及び排水性を調整することができる。
【０１０８】
第四実施例
第四実施例は、本体部１と植栽部２との間に、高さ調整若しくは段差調整するためのレベル調整材１７（クッション材）を配設した実施例である。
【０１０９】
具体的には、図４に示すように、緑化したい部位（第四実施例では仕切壁５内とした。）に先ずレベル調整材１７Ａが所定厚さ敷設され、該レベル調整材１７Ａ上に本体部１が配設され、該本体部１上に更にレベル調整材１７Ｂが敷設され、該レベル調整材１７Ｂに植物１２を植生して植栽部２が設けられた構成としている。
【０１１０】
更に具体的には、レベル調整材１７として川砂や軽量土壌等を採用し、本体部１の外面部には、前記レベル調整材１７の位置ずれを防止するための位置ずれ防止機構（図示省略）が設けられている。
【０１１１】
この位置ずれ防止機構は、本体部１の外面部に、前記レベル調整材１７の位置ずれを防止し得る凹凸部若しくは溝部を設けることで形成されている。
【０１１２】
また、第四実施例では、本体部１として第三実施例に記載の本体部１が採用されている。
【０１１３】
第四実施例は上述のように構成したから、緑化したい部位に段差部があったり、該緑化したい部位が非常に荒れていたとしても、本体部１及び植栽部２を良好に配設して該部位を良好に緑化することができる。
【０１１４】
また、本体部１の外面部に設けたレベル調整材１７の位置ずれ防止作用により、該レベル調整材１７の本体部１に対する位置ずれを防止でき、これにより、レベル調整材１７に植生する植物１２の本体部１に対する位置ずれを防止することができる。
【０１１５】
本実施例の炭化物植栽パネルの施工方法。
【０１１６】
次に、第二実施例の炭化物植栽パネルを用いた場合の所定部位を緑化する際の施工手順について説明する。
【０１１７】
先ず、コンクリートやアスファルト等の人工地盤においては、緑化したい部位に防根シート及び遮水シートを設置する。尚、必要に応じてフィルター，クッション層を設けると良い。
【０１１８】
続いて、緑化したい部位に本体部１を敷設する。
【０１１９】
続いて、本体部１上に高分子吸収材，肥料若しくは中和材等を配設（散布）する。この際、本体部１上にはフィルター層を設けても良い。
【０１２０】
続いて、本体部１上に直接植物１２を植栽する。この際、張り芝の場合には、目土をする。
【０１２１】
続いて、散水を十分に行う。
【０１２２】
以上により、簡単な施工により所定部位を緑化することができる。
【図面の簡単な説明】
【図１】第一実施例の使用状態を示す説明図である。
【図２】第二実施例の使用状態を示す説明図である。
【図３】第三実施例の説明側面図である。
【図４】第四実施例の使用状態を示す説明図である。
【符号の説明】
１  本体部
２  植栽部
８  高分子吸収材
１０  高分子吸収材層
１２  植物
１９  ポーラス層
【図１】
2004329032.tif 000003
【図２】
2004329032.tif 000004
【図３】
2004329032.tif 000005
【図４】
2004329032.tif 000006